(57)【特許請求の範囲】
【請求項１】
（１）正面視に於いて、中央部より外側に向けて広がった第１貫通孔を有すると共に、前記第１貫通孔を取り巻く第１上側部、第１下側部、第１右側部及び第１左側部の各部を有しており、前記第１上側部は人間の掌が当る部分であり、前記第１下側部は前記第１貫通孔を挟んで前記第１上側部に対向していると共に第１貫通穴を有しており、前記第１右側部は前記第１上側部の一端部と前記第１下側部の一端部とを繋ぐ部分であって且つ前記第１上側部との一方の繋がり部分から前記第１下側部との一方の繋がり部分にまで延在する非貫通の第１溝部を有しており、前記第１左側部は前記第１上側部の他端部と前記第１下側部の他端部とを繋ぐ部分であって且つ前記第１上側部との他方の繋がり部分から前記第１下側部との他方の繋がり部分にまで延在する非貫通の第２溝部を有している、外側取手と、
（２）前記第１貫通孔内に嵌っており、正面視に於いて、その中央部より外側に向けて広がった第２貫通孔を有すると共に、前記第２貫通孔を取り巻く第２上側部、第２下側部、第２右側部及び第２左側部の各部を有しており、前記人間の前記掌が前記外側取手の前記第１上側部に当ると共に前記第２貫通孔に嵌り込んだ当該人間の手の指により前記第２上側部は掴持される部分であり、前記第２下側部は前記第２貫通孔を挟んで前記第２上側部に対向しており、前記第２右側部は前記第２上側部の一端部と前記第２下側部の一端部とを繋ぐ部分であって且つ前記第２右側部の端部は前記外側取手の前記第１右側部の前記第１溝部内に前記人間の手の指の上下動に応じて上下動可能な状態で嵌め込まれており、前記第２左側部は前記第２上側部の一端部と前記第２下側部の一端部とを繋ぐ部分であって且つ前記第２左側部の端部は前記外側取手の前記第１左側部の前記第２溝部内に前記人間の手の指の前記上下動に応じて前記第２右側部の前記端部の上下動と共に上下動可能な状態で嵌めこまれている、内側取手と、
（３）前記外側取手の前記第１下側部の内で前記第１貫通孔に対面しない側の下側面に、前記第１下側部の前記下側面側の前記第１貫通穴の口を塞いで固設された一端部を有し、正面視に於いて前記外側取手から見て下方に延在する全体的に中空状の外側棒材部と、
（４）前記内側取手の前記第２下側部の内で前記第２貫通孔とは対面しない側の下側面に固設された一端部を有し、正面視に於いて前記内側取手から見て、前記外側取手の前記第１下側部の前記第１貫通穴を当該第１貫通穴の内面に接触すること無く前記内側取手の上下動に応じて上下動可能な状態で貫いて、前記外側棒材部の中空状の内部空間内を前記外側棒材部の内面に接触すること無く前記内側取手の前記上下動に応じて上下動可能な状態において下方に延在し且つ前記外側棒材部の他端部より突出して更に下方に延在していると共に、前記外側棒材部の前記他端部より突出している突出部分の途中部分から前記突出部分の他端部まで前記外側棒材部内の部分よりも薄い所定の厚みを有する板状の先端部分を有する内側棒材部と、
（５）前記突出部分の前記他端部に該当する前記内側棒材部の前記他端部より前記外側棒材部の前記他端部に向けて第１寸法分だけ離れた前記先端部分の第１位置に配設され、前記第１位置に於いて前記内側棒材部の前記先端部分が嵌合されている第２貫通穴を有する板部と、
（６）前記外側棒材部の前記他端部から前記板部の内で前記外側棒材部の前記他端部に面した上面までの間に配設されており、前記外側棒材部の前記他端部に当接された一端部及び前記板部の前記上面に当接された他端部を有すると共に、その内部を前記内側棒材部の前記突出部分が貫くバネと、
（７）正面視に於いて、前記外側取手の前記第１上側部の内で前記人間の前記掌の上部が当る側の一方の側面と対向した他方の側面上に回転自在に取り付けられた一端部と、前記一端部に対向する他端部と、前記外側取手の前記第１右側部側の一方の側面部の内で前記一端部と前記他端部との間の部分よりその内部に向けて上下面を貫通して切込まれた切込み部と、前記切込み部の奥行き部分から前記他端部側に向けて更に前記上下面を貫通して切込まれたピン部用貫通穴とを有し、しかも、少なくとも前記他端部が内側に反る様に折り曲げられている、ストッパー金具と、
（８）正面視に於いて、前記内側取手の前記第２上側部の内で前記人間の前記手の指が当る側の一方の側面と対向した他方の側面上に突出して配設されたピン部と、
（９）前記外側取手から見て下方に延在し、且つ、その延在方向に沿って上面から下面に至るまで延在した第３貫通孔を有しており、前記第３貫通孔内には、（ａ）前記外側棒材部の前記他端部から所定の範囲内までの部分、（ｂ）前記バネ、（ｃ）前記板部、並びに、（ｄ）前記内側棒材部の内で、前記外側棒材部の前記他端部から前記所定の範囲内までの部分内を貫いている部分、前記突出部分の内で前記外側棒材部の前記他端部から突出している箇所から前記途中部分までの部分、及び、前記先端部分の内で前記途中部分から前記板部との嵌合部分を突出して前記先端部分の他端部寄りの箇所までの部分が、配設されている、筐体部と、
（１０）前記先端部分の幅方向に於ける一方の側面に対面した前記筐体部の第１側面上であって且つ前記筐体部の前記第１側面の長手方向に於ける中心部から前記先端部分の前記所定の厚みに応じて定まる第２寸法分だけ前記第１側面の前記長手方向に沿った一方の縁側に寄って配設された第１支持部と、
（１１）前記第１支持部によって回転可能に支持されている一端側部分と、前記先端部分の内で、前記板部との前記嵌合部分と前記先端部分の前記他端部との間の部分の上面上に固定された、前記一端側部分と連続的に繋がった他端側部分とを有する、第１バケット支持部と、
（１２）前記先端部分の前記幅方向に於ける他方の側面に対面した前記筐体部の第２側面上であって且つ前記筐体部の前記第２側面の長手方向に於ける中心部から前記先端部分の前記所定の厚みに応じて定まる第３寸法分だけ前記第１側面の他方の縁に対向した前記第２側面の長手方向に沿った他方の縁側に寄って配設された第２支持部と、
（１３）前記第２支持部によって回転可能に支持されている一端側部分と、前記先端部分の内で、前記板部との前記嵌合部分と前記先端部分の前記他端部との間の前記部分の前記上面に対向する下面の内で、前記上面に於ける前記第１バケット支持部の前記他端側部分の固定箇所に対応した箇所に固定された、前記一端側部分と連続的に繋がった他端側部分とを有する、第２バケット支持部と、
（１４）前記第１バケット支持部と一体的に回転する様に前記第１バケット支持部の前記一端側部分により支持されており、第１底面部と、前記第１底面部の周縁に繋がった４つの第１側面部乃至第４側面部とを有して開口しており、当該開口部側の外縁部分を除いた部分が前記第１バケット支持部の前記一端側部分に固定されている前記第１側面部の長手方向に於ける長さが、前記第１側面部に対向する前記第２側面部の長手方向に於ける長さよりも小さくなる様に、前記第３側面部及び前記第３側面部に対向する前記第４側面部が共に末広がり状に傾いており、前記第２側面部は凸状に湾曲している曲面であり、しかも、前記第１側面部乃至前記第４側面部の各々の外縁部分は外側に向けて所定の角度で傾斜している、第１バケットと、
（１５）前記第２バケット支持部と一体的に回転する様に前記第２バケット支持部の前記一端側部分により支持されており、第２底面部と、前記第２底面部の周縁に繋がった４つの第５側面部乃至第８側面部とを有して開口しており、前記第２バケット支持部の前記一端側部分に固定されている前記第５側面部の長手方向に於ける長さが、前記第５側面部に対向する前記第６側面部の長手方向に於ける長さよりも小さくなる様に、前記第７側面部及び前記第７側面部に対向する前記第８側面部が共に末広がり状に傾いており、前記第６側面部は凸状に湾曲している曲面であり、しかも、前記第５側面部乃至前記第８側面部の外縁部分は内側に向けて前記所定の角度で傾斜している、第２バケットと、
を備えており、
前記第１バケット及び前記第２バケットの各々の弾性は、前記外側取手、前記内側取手、前記外側棒材部及び前記内側棒材部の何れの弾性よりも大きく、
前記人間の掌が前記外側取手の前記第１上側部に当った状態で、且つ、前記人間の指が前記内側取手の前記第２上側部を掴持した状態に於いて前記第２上側部を前記外側取手の前記第１上側部へ向けて引っ張り上げ、当該引っ張り上げの動作に応じて、前記第１バケット及び前記第２バケット同士が互いに向かい合う様に回転して、前記第２バケットの前記第５側面部乃至前記第８側面部のそれぞれの前記外縁部分が対応する前記第１バケットの前記第１側面部乃至前記第４側面部のそれぞれの前記外縁部分を全体的に包み込んでしまう状態の下で、前記第１バケットと前記第２バケット同士が互いの開口を塞いで、以って犬の糞を前記第１バケットと前記第２バケットとで作られる閉空間内に収納し得る様に前記第１バケットと前記第２バケットとが閉じた状態下に於いて、前記内側取手に設けられた前記ピン部の突出部分が前記ストッパー金具の前記切込み部の前記奥行き部分に於ける前記ピン部用貫通穴に嵌り込んで前記ストッパー金具が回転不能な固定状態となる様に、前記ストッパー金具の前記一端部の回転中心に対する前記切込み部の位置が規定されている
ことを特徴とする犬の糞採取具。
【請求項２】
請求項１記載の犬の糞採取具であって、
前記第１バケット及び前記第２バケットは共に合成樹脂より成り、
前記外側取手、前記内側取手、前記外側棒材部及び前記内側棒材部は何れもプラスチックスより成る
ことを特徴とする犬の糞採取具。
【請求項３】
請求項１又は２に記載の犬の糞採取具であって、
前記外側棒材部は角棒であり、
前記角棒の４つの側面の何れか一の側面上に箱体が配設されており、
前記箱体は、
前記一の側面上に固設された背面部と、
前記箱体の前記背面部を正面から見た際に前記背面部の右側の一方の端部上に、前記背面部の垂直方向に延在する第１側壁部と、
前記箱体の前記背面部を正面から見た際に前記背面部の左側の他方の端部上に、前記第１側壁部と並行して対峙する様に、前記背面部の垂直方向に前記第１側壁部の延在寸法と同一分だけ延在する第２側壁部と、
前記第１側壁部の下端部と前記第２側壁部の下端部と前記背面部の下端部とに結合された底面部と、
前記第１側壁部の側面部上、前記第２側壁部の側面部上、及び、前記底面部の長手方向の両側面部の内で前記背面部側とは反対側に位置する側面部上に固設された、可撓性のシート状部材とを
備えており、
前記シート状部材の上側縁は、前記シート状部材の下側縁よりも長く、撓んだ状態となっている
ことを特徴とする犬の糞採取具。
【発明の詳細な説明】
【技術分野】
【０００１】
この発明は、犬の飼い主が犬の散歩に出かけた際に、犬が街路等に排泄した糞を採取するための道具の構造に関する。
【背景技術】
【０００２】
犬の飼い主は、通常、一日に一回、犬を連れて散歩に出かける。犬の散歩に於いては、通常、犬は、舗装された街路や街路脇の草地上に、糞を排泄する。この犬の糞を街路等上に飼い主は放置しないように、地方自治体又はその保健所は、看板を用いて、犬の飼い主に呼び掛けている。この呼び掛けに応じて、飼い犬の排泄した糞を採取して持ち帰る飼い主もいれば、犬の飼い主としてのマナーに反して、犬の糞をそのまま放置しておく飼い主もいる。犬の糞が放置されている場合には、その周辺の人が放置された犬の糞を採取することになる。
【０００３】
散歩中に飼い犬が糞を排泄した場合に飼い主が飼い犬の糞を採取して家へ持ち帰るために、飼い主は、通常、新聞の折込みチラシを畳んで袋状にした物やビニール袋等を、飼い犬の糞の採取具として予め用意して、それらを手提げ袋の中に入れて持ち歩いている。そして、飼い犬が散歩中に糞を現に排泄した場合には、飼い主は、上記袋状の採取具等を手提げ袋から取り出して、一方の手で上記の袋状の物を持ちながら、他方の手で別の折込みチラシ等を用いて犬の糞を掴んで、当該糞を上記の袋状の物の中に入れた上で、当該袋状の物をビニール袋の中に入れている。そして、飼い主は、当該ビニール袋を手提げ袋の中にしまいこんで、自宅へ当該ビニール袋を持ち帰っている。
【０００４】
犬の糞が放置されてしまっている場合に、周辺に住む人が放置された糞を採取する場合においても、同様の処置が採られている様である。
【先行技術文献】
【特許文献】
【０００５】
【特許文献１】特開２００３−３８０５８号公報
【特許文献２】特開２００７−１５９４０７号公報
【発明の概要】
【発明が解決しようとする課題】
【０００６】
問題は、飼い主が犬の糞を自宅へ持ち帰った後の当該犬の糞の取扱いである。この場合に、帰宅後に、飼い主が、ビニール袋から上記の袋状の物を取り出した上で、上記の袋状の物の中に収納されている犬の糞を便器内に放り出して下水によって下水道に流してしまうならば、問題は無いと言える。
【０００７】
しかし、ビニール袋中の上記の袋状の物の中に犬の糞が入っているという事実を、目視で確認することは容易でない。その点に便乗して、飼い主の多くは、帰宅後に、上記の袋状の物が入っているビニール袋を、燃えるゴミとして、透明なゴミ袋の中に捨てているのが、現状ではないかと、思われる。この場合には、本来は下水処理場できちんと処理されるべき筈の犬の糞が、燃えるゴミと共に、ゴミを燃やす焼却場において燃やされることとなり、犬の糞が完全に処理され得ない状態が生じてしまい、衛生上、好ましくない状態が発生する。この場合には、完全に燃えずに残った犬の糞を、燃えかすの中から、選り分けて回収する作業が、改めて発生する。特に、捨てられた犬の糞の中に万が一病原菌が混在している場合には、焼却場で働く職員等への感染を通じて、当該病原菌が社会に拡がってしまう危惧が生じる。
【０００８】
従って、衛生面の観点から言って、犬の飼い主が、上記ビニール袋ごと、燃えるゴミが入ったゴミ袋の中に捨ててしまう行為自体を、根絶する必要性がある。
【０００９】
本発明は、この様な現状認識を踏まえて成されたものであり、その主目的は、犬の飼い主が飼い犬を連れて散歩に出かけた際に、散歩の途中で飼い犬が排泄した糞を、排泄場所の如何に拘わらず確実に且つ容易に採取ないしは回収可能とし、且つ、帰宅後に採取した糞を容易に便器に捨て去ることを可能として、衛生上の問題点を発生させない様にし得る、犬の糞の採取具を提供することにある。
【課題を解決するための手段】
【００１０】
本発明の主題に係る犬の糞採取具は、（１）正面視に於いて、中央部より外側に向けて広がった第１貫通孔を有すると共に、前記第１貫通孔を取り巻く第１上側部、第１下側部、第１右側部及び第１左側部の各部を有しており、前記第１上側部は人間の掌が当る部分であり、前記第１下側部は前記第１貫通孔を挟んで前記第１上側部に対向していると共に第１貫通穴を有しており、前記第１右側部は前記第１上側部の一端部と前記第１下側部の一端部とを繋ぐ部分であって且つ前記第１上側部との一方の繋がり部分から前記第１下側部との一方の繋がり部分にまで延在する非貫通の第１溝部を有しており、前記第１左側部は前記第１上側部の他端部と前記第１下側部の他端部とを繋ぐ部分であって且つ前記第１上側部との他方の繋がり部分から前記第１下側部との他方の繋がり部分にまで延在する非貫通の第２溝部を有している、外側取手と、（２）前記第１貫通孔内に嵌っており、正面視に於いて、その中央部より外側に向けて広がった第２貫通孔を有すると共に、前記第２貫通孔を取り巻く第２上側部、第２下側部、第２右側部及び第２左側部の各部を有しており、前記人間の前記掌が前記外側取手の前記第１上側部に当ると共に前記第２貫通孔に嵌り込んだ当該人間の手の指により前記第２上側部は掴持される部分であり、前記第２下側部は前記第２貫通孔を挟んで前記第２上側部に対向しており、前記第２右側部は前記第２上側部の一端部と前記第２下側部の一端部とを繋ぐ部分であって且つ前記第２右側部の端部は前記外側取手の前記第１右側部の前記第１溝部内に前記人間の手の指の上下動に応じて上下動可能な状態で嵌め込まれており、前記第２左側部は前記第２上側部の一端部と前記第２下側部の一端部とを繋ぐ部分であって且つ前記第２左側部の端部は前記外側取手の前記第１左側部の前記第２溝部内に前記人間の手の指の前記上下動に応じて前記第２右側部の前記端部の上下動と共に上下動可能な状態で嵌めこまれている、内側取手と、（３）前記外側取手の前記第１下側部の内で前記第１貫通孔に対面しない側の下側面に、前記第１下側部の前記下側面側の前記第１貫通穴の口を塞いで固設された一端部を有し、正面視に於いて前記外側取手から見て下方に延在する全体的に中空状の外側棒材部と、（４）前記内側取手の前記第２下側部の内で前記第２貫通孔とは対面しない側の下側面に固設された一端部を有し、正面視に於いて前記内側取手から見て、前記外側取手の前記第１下側部の前記第１貫通穴を当該第１貫通穴の内面に接触すること無く前記内側取手の上下動に応じて上下動可能な状態で貫いて、前記外側棒材部の中空状の内部空間内を前記外側棒材部の内面に接触すること無く前記内側取手の前記上下動に応じて上下動可能な状態において下方に延在し且つ前記外側棒材部の他端部より突出して更に下方に延在していると共に、前記外側棒材部の前記他端部より突出している突出部分の途中部分から前記突出部分の他端部まで前記外側棒材部内の部分よりも薄い所定の厚みを有する板状の先端部分を有する内側棒材部と、（５）前記突出部分の前記他端部に該当する前記内側棒材部の前記他端部より前記外側棒材部の前記他端部に向けて第１寸法分だけ離れた前記先端部分の第１位置に配設され、前記第１位置に於いて前記内側棒材部の前記先端部分が嵌合されている第２貫通穴を有する板部と、（６）前記外側棒材部の前記他端部から前記板部の内で前記外側棒材部の前記他端部に面した上面までの間に配設されており、前記外側棒材部の前記他端部に当接された一端部及び前記板部の前記上面に当接された他端部を有すると共に、その内部を前記内側棒材部の前記突出部分が貫くバネと、（７）正面視に於いて、前記外側取手の前記第１上側部の内で前記人間の前記掌の上部が当る側の一方の側面と対向した他方の側面上に回転自在に取り付けられた一端部と、前記一端部に対向する他端部と、前記外側取手の前記第１右側部側の一方の側面部の内で前記一端部と前記他端部との間の部分よりその内部に向けて上下面を貫通して切込まれた切込み部と、前記切込み部の奥行き部分から前記他端部側に向けて更に前記上下面を貫通して切込まれたピン部用貫通穴とを有し、しかも、少なくとも前記他端部が内側に反る様に折り曲げられている、ストッパー金具と、（８）正面視に於いて、前記内側取手の前記第２上側部の内で前記人間の前記手の指が当る側の一方の側面と対向した他方の側面上に突出して配設されたピン部と、（９）前記外側取手から見て下方に延在し、且つ、その延在方向に沿って上面から下面に至るまで延在した第３貫通孔を有しており、前記第３貫通孔内には、（ａ）前記外側棒材部の前記他端部から所定の範囲内までの部分、（ｂ）前記バネ、（ｃ）前記板部、並びに、（ｄ）前記内側棒材部の内で、前記外側棒材部の前記他端部から前記所定の範囲内までの部分内を貫いている部分、前記突出部分の内で前記外側棒材部の前記他端部から突出している箇所から前記途中部分までの部分、及び、前記先端部分の内で前記途中部分から前記板部との嵌合部分を突出して前記先端部分の他端部寄りの箇所までの部分が、配設されている、筐体部と、（１０）前記先端部分の幅方向に於ける一方の側面に対面した前記筐体部の第１側面上であって且つ前記筐体部の前記第１側面の長手方向に於ける中心部から前記先端部分の前記所定の厚みに応じて定まる第２寸法分だけ前記第１側面の前記長手方向に沿った一方の縁側に寄って配設された第１支持部と、（１１）前記第１支持部によって回転可能に支持されている一端側部分と、前記先端部分の内で、前記板部との前記嵌合部分と前記先端部分の前記他端部との間の部分の上面上に固定された、前記一端側部分と連続的に繋がった他端側部分とを有する、第１バケット支持部と、（１２）前記先端部分の前記幅方向に於ける他方の側面に対面した前記筐体部の第２側面上であって且つ前記筐体部の前記第２側面の長手方向に於ける中心部から前記先端部分の前記所定の厚みに応じて定まる第３寸法分だけ前記第１側面の他方の縁に対向した前記第２側面の長手方向に沿った他方の縁側に寄って配設された第２支持部と、（１３）前記第２支持部によって回転可能に支持されている一端側部分と、前記先端部分の内で、前記板部との前記嵌合部分と前記先端部分の前記他端部との間の前記部分の前記上面に対向する下面の内で、前記上面に於ける前記第１バケット支持部の前記他端側部分の固定箇所に対応した箇所に固定された、前記一端側部分と連続的に繋がった他端側部分とを有する、第２バケット支持部と、（１４）前記第１バケット支持部と一体的に回転する様に前記第１バケット支持部の前記一端側部分により支持されており、第１底面部と、前記第１底面部の周縁に繋がった４つの第１側面部乃至第４側面部とを有して開口しており、当該開口部側の外縁部分を除いた部分が前記第１バケット支持部の前記一端側部分に固定されている前記第１側面部の長手方向に於ける長さが、前記第１側面部に対向する前記第２側面部の長手方向に於ける長さよりも小さくなる様に、前記第３側面部及び前記第３側面部に対向する前記第４側面部が共に末広がり状に傾いており、前記第２側面部は凸状に湾曲している曲面であり、しかも、前記第１側面部乃至前記第４側面部の各々の外縁部分は外側に向けて所定の角度で傾斜している、第１バケットと、（１５）前記第２バケット支持部と一体的に回転する様に前記第２バケット支持部の前記一端側部分により支持されており、第２底面部と、前記第２底面部の周縁に繋がった４つの第５側面部乃至第８側面部とを有して開口しており、前記第２バケット支持部の前記一端側部分に固定されている前記第５側面部の長手方向に於ける長さが、前記第５側面部に対向する前記第６側面部の長手方向に於ける長さよりも小さくなる様に、前記第７側面部及び前記第７側面部に対向する前記第８側面部が共に末広がり状に傾いており、前記第６側面部は凸状に湾曲している曲面であり、しかも、前記第５側面部乃至前記第８側面部の外縁部分は内側に向けて前記所定の角度で傾斜している、第２バケットと、を備えており、前記第１バケット及び前記第２バケットの各々の弾性は、前記外側取手、前記内側取手、前記外側棒材部及び前記内側棒材部の何れの弾性よりも大きく、前記人間の掌が前記外側取手の前記第１上側部に当った状態で、且つ、前記人間の指が前記内側取手の前記第２上側部を掴持した状態に於いて前記第２上側部を前記外側取手の前記第１上側部へ向けて引っ張り上げ、当該引っ張り上げの動作に応じて、前記第１バケット及び前記第２バケット同士が互いに向かい合う様に回転して、前記第２バケットの前記第５側面部乃至前記第８側面部のそれぞれの前記外縁部分が対応する前記第１バケットの前記第１側面部乃至前記第４側面部のそれぞれの前記外縁部分を全体的に包み込んでしまう状態の下で、前記第１バケットと前記第２バケット同士が互いの開口を塞いで、以って犬の糞を前記第１バケットと前記第２バケットとで作られる閉空間内に収納し得る様に前記第１バケットと前記第２バケットとが閉じた状態下に於いて、前記内側取手に設けられた前記ピン部の突出部分が前記ストッパー金具の前記切込み部の前記奥行き部分に於ける前記ピン部用貫通穴に嵌り込んで前記ストッパー金具が回転不能な固定状態となる様に、前記ストッパー金具の前記一端部の回転中心に対する前記切込み部の位置が規定されていることを特徴とする。
【発明の効果】
【００１１】
本発明の主題によれば、（１）飼い主が犬を連れて散歩中に、飼い犬が糞を排泄した場合に、飼い主が内側取手を上方へ持ち上げる動作に応じて、お互いの方へ向かって回転する第１バケット及び第２バケットで以って犬の糞を掴み挙げて両バケットが互いに組み合わされて形成される内部空間内に糞を容易に且つ確実に収納することが出来る。従って、飼い主は、ビニール袋又は包装紙を用いて手で排泄された糞を拾い上げてビニール袋等に収納する作業を不要とすることが出来る。この点で、本発明の主題に係る糞採取具は、排泄された犬の糞を回収する作業においても、衛生的に優れていると言える。
【００１２】
しかも、日が暮れて真っ暗な夜になった場合に於いても、排泄された糞の位置さえ視覚により判別出来れば、開いた状態の両バケットを糞の回りに配置して、身体を立ち上げたままで身構えて、内側取手を上方へ持ち上げる動作さえ行えば、糞は両バケットの閉空間内に確実に収容され得る。そのため、真っ暗になった夜の時間帯での犬の散歩であっても、犬が糞を排泄した場合に、身体をかがみ込んで糞の回収作業を行うこと無く、立った姿勢のままで、容易に且つ確実に糞を採取・収納して自宅へ持ち帰ることが出来る。
【００１３】
しかも、本発明の主題では、（２）糞の採取時に、第１バケットの各側面部の外側に向けて傾斜した外縁部分が、対応する第２バケットの各側面部の内側に向けて傾斜した外縁部分内に潜り込んで、第２バケットの各側面部の外縁部分が対応する第１バケットの各側面部の外縁部分を全体的に包み込んで閉まった状態に於いて、両バケット同士は互いの開口部を塞いで組み合わされて合体する。従って、両バケット同士で形成される閉空間内に収納された犬の糞が軟らかくてべたついている状態に於いても、液状化した糞の一部が互いに組み合わさった両バケット同士の外縁部分から漏れ落ちることを防止することが出来る。
【００１４】
加えて、本発明の主題では、（３）第１バケット及び第２バケットの弾性は、外側取手、内側取手、外側棒材部及び内側棒材部の何れの弾性よりも大きい。そのため、犬が舗装道路の脇の凹凸のある地面ないしは草地上に糞を排泄した場合に、当該凹凸のある地面上に第１バケット及び第２バケットを配設したとしても、当該地面の凹凸に応じて第１バケット及び第２バケットはより変形してその後に元の状態に戻り易い。そのため、当該凹凸のある地面上にある糞であっても、互いの方向へ向けて回転する第１バケット及び第２バケットは、当該地面の凹凸に応じて変形しつつも、当該糞を確実に掴み取って、両バケットで作られる閉空間内に糞を収納することが出来る。仮に舗装道路自体に道路工事中の作業等が原因して凹凸がある場合であっても、本発明の主題に係る犬の糞採取具の両バケットは、凹凸に応じて同様に変形して糞を確実に収容することが出来る。
【００１５】
しかも、糞の採取時に道路等の表面に接触する第１バケットの第２側面部及び第２バケットの第６側面部は共に凸状に湾曲する曲面であるので、両バケットの第２及び第６側面部の各々は、道路やその脇の土地の凹凸に応じて容易により一層変形するので、より一層確実に、凹凸のある地面等の上の糞を掴み取って両バケットの閉空間内に糞を収納することが出来る。
【００１６】
更に、本発明の主題では、（４）第１バケットの第３及び第４側面部は共に末広がり状の形状を有し、且つ、第２バケットの第７及び第８側面部も共に末広がり状の形状を有している。そのため、第１バケットの開口と第２バケットの開口とが互いに閉じ合って形成される、その中に糞を収納するための閉空間の広がりを、犬のサイズの大小（小さな犬の糞の大きさ〜大きな犬の糞の大きさ）に合わせて閉空間の容積が適切な容積と成る様に、自在に調整することが出来る。即ち、大きな犬程、一般的にその糞も大きくなるので、大きな犬向け用の糞採取具として、上記閉空間の広がり寸法を広く設定することが出来る。
【００１７】
更に、本発明の主題では、（５）ストッパー金具が切り込みの奥行き部分より下方に広がる溝部を備えている。そのため、ストッパー金具の反時計方向の回転、及び、ネジが下方へ伸張して元の状態に戻ろうとする作用を受けている内側取手のほんの少しの緩みによる下方への動きにより、上記溝部に上記切り込みを介してピン部の突出部を嵌めこむことにより、ストッパー金具の回転及び内側取手の上下方向の動きを完全に止めてしまって、内側取手を上下方向に対して不動の状態とすることが出来る。そして、一端、上記溝部に嵌り込んだピン部の突出部分が、かってに上記溝部より抜け出ることは一切無い。従って、意図的に内側取手を持ち上げ且つストッパー金具を意図的に回転させない限り、第１及び第２バケットの各々の開口が互いに閉じられて両バケットが作る閉空間内に採取した糞が収納されている状態を、収納以後、飼い主が自宅に戻って便所の便器にまで本糞採取具を持ってくるまでの間、常に安定して維持することが出来る。
【００１８】
しかも、本発明の主題では、（６）少なくともストッパー金具の他端部が内側に折り曲げられているので、当該他端部を他方の手の指で確実に掴みながら、ストッパー金具の回転動作を行わせることが出来る。その上、何らかの拍子で、ストッパー金具の他端部が何等かの物に引っ掛かってストッパー金具を動かしてしまう状態を防止することが出来る。
【００１９】
そして、本発明の主題によれば、（７）犬の飼い主は、自宅に戻った後に、片方の手で本糞採取具の閉じ合った両バケットを便器口に向けた状態を保って、当該片方の手で内側取手を上方へ持ち上げることでピン部の突出部を上記溝部より抜き出した上で、他方の手の指でその折曲がった他端部を掴みつつストッパー金具を時計回りに回転させてピン部の突出部をストッパー金具の切り込みから開放させる。単にこれらの動作を行うのみで、直ちに、ネジが元の状態に戻ろうとする伸張作用を生じさせて、閉じ合った両バケットを互いに開く様に回転させ、両バケット内から糞を外部に飛び出させて便器内に落ち込ませることを容易に且つ確実に行うことが出来る。そして、飼い主が下水を流して下水と共に糞を下水道に流し込むことで、犬の糞を人間の便と同様に下水処理にさらしめることが出来る。この様に、犬の糞の最終的な処理を人間の便の下水処理で以って処理可能とするので、この意味で、犬の糞の処理の衛生面を格段に向上させることが出来る。仮に犬の糞内に病原菌が含まれていても、当該病原菌を持った糞は確実に下水処理されるので、当該病原菌が社会に拡散されて広まることを未然に防止することが出来る。
【００２０】
請求項２に記載の発明によれば、第１及び第２バケットは共に合成樹脂から成るので、比較的に大きな弾性を有する結果、路上又は地面上の凹凸に対して第１及び第２バケットをより一層に変形させ易くなり、より確実に犬の糞を両バケットにより採取・収納することが出来る。
【００２１】
請求項３に記載の発明によれば、飼い主は、犬の糞が軟らかくてべたついている場合に、万が一にも液状の糞の一部が両バケットから漏れて路上に落ちるのを防止するために、閉じている両バケットに被せるためのビニール袋等を、箱体に収納しておくことが出来る。又、犬の糞を集めて丸み込んでしまうためのティッシュペーパー等を箱体に入れておくことも出来る。従って、本糞採取具とは別にビニール袋等を直接的に又は間接的に（手提げ袋等に入れている場合）手で持っておく必要性をなくすことが出来る。
【００２２】
以下、本発明の様々な具体化を、添付図面を基に、その効果・利点と共に、詳述する。
【図面の簡単な説明】
【００２３】
【図１】本発明の実施の形態１に係る犬の糞採取具の外側取手及び内側取手等の構造を示す正面図である。
【図２】本発明の実施の形態１に係る犬の糞採取具に於けるストッパー金具の構造の一例を拡大化して示す斜視図である。
【図３】本発明の実施の形態１に係る犬の糞採取具に於ける外側棒材部及び内側棒材部の下方側の構成を示す縦断面図である。
【図４】本発明の実施の形態１に係る犬の糞採取具に於ける外側棒材部及び内側棒材部の下方側の構成を示す正面図である。
【図５】本発明の実施の形態１に係る犬の糞採取具の糞採取前の状態下に於ける下方側の構成を示す正面図である。
【図６】犬の糞採取前の状態下に於いて、図５の右側から本発明の実施の形態１に係る犬の糞採取具を眺めたときの当該犬の糞採取具の構成を示す正面図である。
【図７】犬の糞採取前の状態下に於いて、図５の左側から本発明の実施の形態１に係る犬の糞採取具を眺めたときの当該犬の糞採取具の構成を示す正面図である。
【図８】本発明の実施の形態１に係る犬の糞採取具に於ける第１バケットの構造を示す斜視図である。
【図９】本発明の実施の形態１に係る犬の糞採取具に於ける第２バケットの構造を示す正面図である。
【図１０】犬の糞を両バケットの組合せにより形成される内部空間内に収納した際の、本発明の実施の形態１に係る犬の糞採取具の下方構造を示す正面図である。
【図１１】図１０に示す状態に於ける第１及び第２バケットの組合せ状態を示す縦断面図である。
【図１２】図１０に示す状態に於いて、ストッパー金具のピン部用貫通穴にピン部の突出部分を嵌めこんで内側取手の動作を固定した状態を示す正面図である。
【図１３】変形例１の箱体の構成を示す拡大斜視図である。
【発明を実施するための形態】
【００２４】
（実施の形態１）
【００２５】
＜犬の糞を採取する前に於ける犬の糞採取具の構成＞
【００２６】
図１は、本実施の形態に係る犬の糞採取具（以下、単に「採取具」という。）１の取手側部分を示す正面図である。
【００２７】
図１に於いて、外側取手２は、正面視（図１の紙面の上方から見た場合）に於いて、その中央部分から外側に向けて広がった比較的に大きな開口の第１貫通孔２ＰＨを有する。この第１貫通孔２ＰＨの周縁全体は、外側取手２の本体を成す各部により取り囲まれている。即ち、第１上側部２ＵＰ、第１下側部２ＬＰ、第１右側部２ＲＰ及び第１左側部２ＬＥＰは、第１貫通孔２ＰＨを取り巻いている。外側取手２の各部の内で、第１上側部２ＵＰの一方の側面（本図の紙面から見て裏側の側面に該当。）２ＵＰＳ１は、採取具１を持つ人間の手の掌が当る部分であり、一方の側面２ＵＰＳ１の対向面である他方の側面２ＵＰＳ２は、当該人間の手の親指が当る部分である。又、第１貫通孔２ＰＨを挟んで第１上側部２ＵＰに対向する外側取手２の第１下側部２ＬＰは、その略中央部分に、当該第１下側部２ＬＰを貫通する第１貫通穴２ＰＨ２を有する。又、第１右側部２ＲＰは、第１上側部２ＵＰの一端部と、当該一端部に対向する第１下側部２ＬＰの一端部とを繋ぐ部分である。しかも、第１右側部２ＲＰは、非貫通の第１溝部２Ｒ１を有している。この第１溝部２Ｒ１は、図１に於いて破線で示されている様に、第１右側部２ＲＰと第１上側部２ＵＰとの一方の繋がり部分から、第１右側部２ＲＰと第１下側部２ＬＰとの一方の繋がり部分にまで延在している。又、第１左側部２ＬＥＰは、第１上側部２ＵＰの他端部と第１下側部２ＬＰの他端部とを繋ぐ部分である。しかも、第１左側部２ＬＥＰは、非貫通の第２溝部２Ｒ２を有している。この第２溝部２Ｒ２は、図１に於いて破線で示されている様に、第１左側部２ＬＥＰと第１上側部２ＵＰとの他方の繋がり部分から、第１左側部２ＬＥＰと第１下側部２ＬＰとの他方の繋がり部分にまで延在している。
【００２８】
又、図１に示す様に、内側取手３は、外側取手２の第１貫通孔２ＰＨ内に嵌っている構成を採る。その上で、正面視（図１の紙面の上方から見た場合）に於いて、内側取手３は、その中央部分から外側に向けて広がった比較的に小さな開口の第２貫通孔３ＰＨを有する。外側取手２の第１貫通孔２ＰＨと同様に、内側取手３の第２貫通孔３ＰＨの周縁全体も、内側取手３の本体を成す各部により取り囲まれている。即ち、第２上側部３ＵＰ、第２下側部３ＬＰ、第２右側部３ＲＰ及び第２左側部３ＬＥＰは、第２貫通孔３ＰＨを取り巻いている。これらの各部の内で、第２上側部３ＵＰは、人間が採取具１を手に取って飼い犬と共に散歩する際に、その掌が既述した外側取手２の第１上側部２ＵＰに当ると共に、その手の指が第２貫通孔３ＰＨに嵌り込んだ場合に、当該手の指により掴持される部分である。又、第２下側部３ＬＰは、第２貫通孔３ＰＨを挟んで、第２上側部３ＵＰに対向している部分である。又、第２右側部３ＲＰは、第２上側部３ＵＰの一端部と第２下側部３ＬＰの一端部とを繋ぐ部分である。しかも、第２右側部３ＲＰの端部３ＲＰＥは、図１に於いて破線で示されている通り、外側取手２の第１右側部２ＲＰの第１溝部２Ｒ１内に、人間の手の指の上下動に応じて上下方向（＋Ｘ−−Ｘ）に上下動可能な状態で、嵌め込まれている。更に、第２左側部３ＬＥＰは、第２上側部３ＵＰの一端部と第２下側部３ＬＰの一端部とを繋ぐ部分である。しかも、第２左側部３ＬＥＰの端部３ＬＥＰＥは、外側取手２の第１左側部２ＬＥＰの第２溝部２Ｒ２内に、人間の手の指の上下動に応じて、第２右側部３ＲＰの端部３ＲＰＥの上下動と共に、上下方向（＋Ｘ−−Ｘ）に上下動可能な状態で嵌め込まれている。
【００２９】
又、図１に示す様に、正面視に於いて、全体的に亘って中空状の外側棒材部４は、外側取手２から見て、下方（−Ｘ方向）に所定の長さ分だけ真っ直ぐに延在している。しかも、外側棒材部４の一端部４Ｅ１は、外側取手２の第１下側部２ＬＰの内で第１貫通孔２ＰＨに対面しない側の下側面２ＬＰＬＳ上に、第１下側部２ＬＰの下側面２ＬＰＬＳ側の第１貫通穴２ＰＨ２の口を塞いで固設されている。尚、外側棒材部４の形状としては、中空状の角棒であっても良いし、或いは、中空状の円柱棒（例えば内径が１８０ｍｍのパイプ）であっても良い。
【００３０】
又、図１に示す様に、内側棒材部５は、内側取手３の第２下側部３ＬＰの内で第２貫通孔３ＰＨとは対面しない側の下側面３ＬＰＬＳの中央部に固設された一端部５Ｅ１を有している。そして、正面視に於いて、内側取手３から見て、内側棒材部５は、一端部５Ｅ１から外側取手２の第１下側部２ＬＰに向けて、特にその第１貫通穴２ＰＨ２に向けて、下方（−Ｘ方向）に真っ直ぐに延在している。更に、内側棒材部５は、外側取手２の第１下側部２ＬＰの第１貫通穴２ＰＨ２を、当該第１貫通穴２ＰＨ２の内面に接触すること無く、内側取手３の上下動に応じて上下方向（＋Ｘ−−Ｘ）に上下動可能な状態に於いて、貫いている。更に、内側棒材部５は、外側棒材部４の中空状の内部空間内を、外側棒材部４の内面に接触すること無く、内側取手３の上下動に応じて上下方向（＋Ｘ−−Ｘ）に上下動可能な状態に於いて、下方（−Ｘ方向）に、外側棒材部４の長さよりも長い所定の長さ分だけ真っ直ぐに延在している。尚、内側棒材部５の形状としては、非中空状の角棒であっても良いし、或いは、非中空状の円柱棒（例えば外径が１５０ｍｍのパイプ）であっても良い。
【００３１】
更に、飼い犬と連れ立って散歩に出かけた人が、当該飼い犬が路上等に排泄した糞を図１の採取具１を用いて採取する場合に、外側取手２の第１上側部２ＵＰの内で当該散歩者の掌の上部が当る側の一方の側面２ＵＰＳ１と図１の紙面の垂直方向に於いて対向した他方の側面２ＵＰＳ２の中央部上に、その僅かな一部分が側面２ＵＰＳ２より突出した部分を有する、例えばビス又はピンより成る、ストッパー金具支持部２Ｂが設けられている。ここで、図２は、図１に示されるストッパー金具６を拡大化して示す斜視図である。以下、図１及び図２の両図を参照することで、ストッパー金具６の構成を記載する。
【００３２】
ストッパー金具６の一端部６Ｅ１は、当該一端部６Ｅ１の中央部分に設けられた貫通穴６ＰＨを有する。そして、ストッパー金具支持部２Ｂの上記突出部分は、貫通穴６ＰＨ内に嵌り込んでおり、上記突出部分を除く他部分は、他方の側面２ＵＰＳ２より外側取手２の第１上側部２ＵＰの内部に至るまで（非貫通）、埋設されて固設されている。その結果、ストッパー金具６は、その一端部６Ｅ１に配設されているストッパー金具支持部２Ｂを回転支点とする一端部６Ｅ１の自在な回転運動に応じて、反時計回り方向及び時計回り方向に、自在に回転可能となっている。
【００３３】
又、ストッパー金具６は、その長手方向に関して一端部６Ｅ１と対向する他端部６Ｅ２を有する。
【００３４】
又、ストッパー金具６は、外側取手２の第１右側部２ＲＰ側の一方の側面部６Ｓ１の内で一端部６Ｅ１と他端部６Ｅ２との間の部分より、略直交方向でストッパー金具６自体の内部に向けて、同部６の上下面を貫通しながら切込まれた切込み部６ＣＰを有する。更に、ストッパー金具６は、切込み部６ＣＰの奥行き部分より他端部６Ｅ２側に向けて、更に同部６の上下面を貫通して切込まれたピン部用貫通穴６Ｒを有する。このピン部用貫通穴６Ｒの中心部及び貫通穴６ＰＨの中心部は、共に、ストッパー金具６の長手方向に沿った中心軸６ＣＬ上に存在する。しかも、切込み部６ＣＰの中心軸６ＣＬの延在方向に沿った幅方向の寸法は、ストッパー金具６の反時計回り方向の回転により、外側取手２のピン部７の突出部分が切込み部６ＣＰの切り込み方向に沿って切込み部６ＣＰの上記奥行き部分にまで達し得る様に、設定されている。又、ピン部用貫通穴６Ｒの口径の寸法は、内側取手３の第２上側部３ＵＰを持ち上げる指の力がほんの少し緩められることにより、後述するバネが伸張しようとする際の引き戻しの力の作用を受けて、ピン部７の突出部分が上記奥行き部分より下方向に移動してピン部用貫通穴６Ｒに嵌り込んでしまい、以後は、上記の引き戻しの力の作用を受け続けることによりピン部７の突出部分が同穴６Ｒの内面６ＲＳに押し当てられ続ける結果、ストッパー金具６及び内側取手３が共に不動状態となる様に、設定されている。
【００３５】
更に、ストッパー金具６の他端部６Ｅ２及び他方の側面部６Ｓ２の他端部６Ｅ２側部分から成る折り曲げ部分６ＢＰは、折り曲げ線６ＢＬに沿って、内側（ストッパー金具６の上面側に該当。）に反る様に、折り曲げられている。この折り曲げ部分６ＢＰは、ストッパー金具６の他端部６Ｅ２及び一方の側面部６Ｓ１の他端部６Ｅ２側部分から成り立っていても良い。要するに、少なくとも、ストッパー金具６の他端部６Ｅ２が、その内側に反る様に、折り曲げられていれば良い。この折り曲げ部分６ＢＰは、採取具１を掴んでいる手の反対側の手の指により掴まれる部分である。即ち、後述する様に、人の反対側の手の指が折り曲げ部分６ＢＰを掴んで反時計回り方向にストッパー金具６を回転させ、更にピン部７の突出部分をピン部用貫通穴６Ｒに嵌め込むまでの過程に於いて、折り曲げ部分６ＢＰは利用される。逆に、ピン部用貫通穴６Ｒに嵌め込まれたピン部７をピン部用貫通穴６Ｒより取り出し且つ切込み部６ＣＰより取り出す過程に於いても、折り曲げ部分６ＢＰは利用される。
【００３６】
図３は、本実施の形態に係る採取具１に於ける外側棒材部４及び内側棒材部５の下方側の構成を示す縦断面図である。又、図４は、図３の矢印ＡＲ１側から眺めた場合の、本実施の形態に係る採取具１に於ける外側棒材部４及び内側棒材部５の下方側の構成を示す正面図である。尚、図４では、透視部分は破線で示されている。以下、図３及び図４を参照しつつ、両部４，５の下方側部分の構成について記載する。
【００３７】
内側棒材部５は、外側棒材部４の中空状の内部空間の内面５ＩＷに接触することなく、外側棒材部４の内部空間内を全体的に亘って下方に延在している。勿論、外側棒材部４の内部空間内にある内側棒材部５の部分５ＩＰも、内側取手３の上下動に応じて上下動可能な状態にある。そして、内側棒材部５は、外側棒材部４の他端部４Ｅ２より外部に突出して、更に内側棒材部５の他端部５Ｅ２まで下方に延在している。図３に示す様に、外側棒材部４の内部空間内にある内側棒材部５の部分５ＩＰ及び他端部４Ｅ２から突出する突出部分５ＰＰの内で他端部４Ｅ２から後記する途中部分５ＰＰＩまでの部分５ＰＰＡの幅方向の寸法Ｗ２は、外側棒材部４の内部空間の内面５ＩＷの幅方向の寸法Ｗ１よりも小さい（Ｗ２＜Ｗ１）。ここで、上記の内側棒材部５の突出部分５ＰＰの途中部分５ＰＰＩとは、内側棒材部５の他端部５Ｅ２から長さ寸法Ｌ５だけ上方へ遡った部分である。
【００３８】
更に、内側棒材部５は、突出部分５ＰＰの途中部分５ＰＰＩから突出部分５ＰＰの他端部に該当する内側棒材部５の他端部５Ｅ２まで延在した、板状の先端部分５ＴＰを有する。そして、板状の先端部分５ＴＰは、外側棒材部４の内部空間内の部分５ＩＰよりも薄い所定の厚みＴ１を有する。この所定の厚みＴ１は、後程に記載する様に、本願発明者の試作結果より、５ｍｍ以内の値に設定されている。尚、板状の先端部分５ＴＰの他端部は、内側棒材部５の他端部５Ｅ２に向けて先細りの形状と成っている。
【００３９】
更に、板部８が、突出部分５ＰＰの他端部に該当する内側棒材部５の他端部５Ｅ２より、外側棒材部４の他端部４Ｅ２に向けて、第１寸法Ｌ６分だけ離れた先端部分５ＴＰの第１位置に配設されている（Ｌ６＜Ｌ５）。そして、板部８は、上記の第１位置に於いて、内側棒材部５の先端部分５ＴＰが嵌合されている第２貫通穴８ＰＨを有する。
【００４０】
図５は、犬の糞採取前の状態下に於ける、採取具１の下方側の構成を示す正面図である。但し、直方体形状の筐体部１０の内部構成を明確化するという観点から、図示化に際して、筐体部１０の正面の第３側面１０Ｓ３の内で、その上側部分を除いて、その他の部分は全て仮想的に除去された状態にあるとして、図５は描かれている。又、図示の便宜上、板部８は、その正面側の側面にハッチングが施される態様で描かれている。
【００４１】
又、図６は、犬の糞採取前の状態下に於いて、図５に示す矢印ＡＲ２の側（図５に於いて右側に該当。）から眺めた際の、採取具１の下方側の構成を示す正面図である。更に、図７は、犬の糞採取前の状態下に於いて、図５に示す矢印ＡＲ３の側（図５に於いて左側に該当。）から眺めた際の、採取具１の下方側の構成を示す正面図である。
【００４２】
図５に例示されている通り、犬の糞採取前の状態下に於いては伸縮してはいないバネ９が、外側棒材部４の他端部４Ｅ２から、板部８の内で外側棒材部４の他端部４Ｅ２に面した上面８ＵＳまでの間に、配設されている。しかも、バネ９の一端部は、常に、外側棒材部４の他端部４Ｅ２に当接されている。更に、バネ９の他端部は、常に、板部８の上面８ＵＳに当接されている。その状態に於いて、バネ９の上記一端部から上記他端部までに至る内部空間は、内側棒材部５の突出部分５ＰＰによって貫かれている。
【００４３】
又、筐体部１０は、外側取手２から見て下方に延在し、且つ、既述の第３側面１０Ｓ３，第３側面１０Ｓ３の右側縁１０Ｓ３Ｅ１に連続的に繋がった第１側面１０Ｓ１，第３側面１０Ｓ３の左側縁１０Ｓ３Ｅ２に連続的に繋がった第２側面１０Ｓ２，第３側面１０Ｓ３に対向した第４側面（図５では図示されてはいない。），上面１０ＵＳ及び下面１０ＬＳより成る。そして、図５に明示する通り、筐体部１０は、その延在方向に沿って上面１０ＵＳから下面１０ＬＳに至るまで、筐体部１０の内部を貫いて延在する第３貫通孔１０ＰＨを有している。
【００４４】
そして、外側棒材部４の内で、その他端部４Ｅ２から長さＬ３分だけ上方へ遡った所定の範囲内までの部分が、上面１０ＵＳ側から、第３貫通孔１０ＰＨ内に嵌合されて、筐体部１０に固定された状態（不動状態）にある。更に、バネ９の全体及び板部８の全体が、第３貫通孔１０ＰＨ内に配設されている。更に、内側棒材部５の内で、外側棒材部４の他端部４Ｅ２から上記所定の範囲内までの部分内を貫いている部分が、第３貫通孔１０ＰＨ内に配設されている。更に、内側棒材部５の突出部分５ＰＰの内で、外側棒材部４の他端部４Ｅ２から突出している箇所から途中部分５ＰＰＩ（図３）までの部分も、第３貫通孔１０ＰＨ内に配設されている。更に、内側棒材部５の先端部分５ＴＰの内で、途中部分５ＰＰＩから、板部８との嵌合部分を突出して先端部分５ＴＰの他端部５Ｅ２寄りの箇所までの部分が、第３貫通孔１０ＰＨ内に配設されている。
【００４５】
又、図３乃至図６に示す通り、第１支持部１１が、先端部分５ＴＰの幅方向Ｙに於ける一方の側面５ＴＰＳ１に対面した筐体部１０の第１側面１０Ｓ１上に、配設されている。ここで、図６に於いては、筐体部１０の第１側面１０Ｓ１の長手方向に沿った中心部の中心軸は、中心軸１０ＣＬ１と表記されている。そして、後述する第１バケット支持部１２の外側に向けて傾斜した第１側面１２ＳＳ１及び同側面１２ＳＳ１に連続的に繋がりつつ内側へ向けて傾斜した第２側面１２ＳＳ２の各々の中心軸１０ＣＬ１側の縁１２ＳＳ１Ｅ，１２ＳＳ２Ｅが、先端部分５ＴＰの所定の厚みＴ１に応じて定まる第２寸法Ｔ１Ａ分だけ、第１側面１０Ｓ１の長手方向に沿った一方の縁１０Ｓ３Ｅ１側に寄って配設される様に、第１支持部１１は第１側面１０Ｓ１上に固設されている。ここで、第２寸法Ｔ１Ａは、Ｔ１／２に等しいか、それよりも若干大きな値である。
【００４６】
又、第１支持部１１は、その下面１１ＬＳ（図６）の中央部からその上方向に向けて延在し且つ同部１１の内部内を上方へ傾斜しつつ貫通して形成された溝部１１Ｒを有する。溝部１１Ｒの幅は、その中に第１バケット支持部１２が挿入され得る様に、第１バケット支持部１２の第１及び第２側面１２ＳＳ１，１２ＳＳ２並びに第１側面１２ＳＳ１と繋がった上面１２ＵＳの厚みよりも若干大きい。更に、図５に点線で示す様に、筐体部１０の第１側面１０Ｓ１の内で、第１支持部１１の溝部１１Ｒに対向した部分より、当該部分と連続して第３貫通孔１０ＰＨの内面に至るまで、筐体部１０を貫通した溝部１０Ｒ１が、局所的に形成されている。当該溝部１０Ｒ１の幅寸法は、第１バケット支持部１２の厚みよりも若干大きな値に設定されている。
【００４７】
そして、図５及び図６に示す様に、第１バケット支持部１２の一端側部分１２Ｐ１の内で第１支持部１１の溝部１１Ｒ内に挿入された部分は、ビス１３により、当該被挿入部分が回転可能な状態で、第１支持部１１に連結されている。即ち、第１バケット支持部１２は、第１支持部１１によって時計回り方向及び反時計回り方向に回転可能に支持されている。更に、第１バケット支持部１２の一端側部分１２Ｐ１の一部は、筐体部１０の溝部１０Ｒ１内に挿入されている。そして、第１バケット支持部１２の一端側部分１２Ｐ１に連続的に繋がった他端側部分１２Ｐ２の内で、溝部１０Ｒ１より突出した上側部分は、図４及び図５に示す様に、ビス１５によって、先端部分５ＴＰの内で、板部８との嵌合部分と先端部分５ＴＰの他端部５Ｅ２との間の部分の上面５ＴＰＵＳ上に固定されている。従って、先端部分５ＴＰの上下運動に応じて、第１バケット支持部１２の他端側部分１２Ｐ２の上記上側部分もまた、先端部分５ＴＰに引きずられて、上下方向に移動する。
【００４８】
又、図３乃至図５及び図７に示す通り、第２支持部１６が、先端部分５ＴＰの幅方向Ｙに於ける他方の側面５ＴＰＳ２に対面した筐体部１０の第２側面１０Ｓ２上に、配設されている。ここで、図７に於いては、筐体部１０の第２側面１０Ｓ２の長手方向に沿った中心部の中心軸は、中心軸１０ＣＬ２と表記されている。そして、後述する第２バケット支持部１７の外側に向けて傾斜した第１側面１７ＳＳ１及び同側面１７ＳＳ１に連続的に繋がりつつ内側へ向けて傾斜した第２側面１７ＳＳ２の各々の中心軸１０ＣＬ１側の縁１７ＳＳ１Ｅ，１７ＳＳ２Ｅが、先端部分５ＴＰの所定の厚みＴ１に応じて定まる第３寸法Ｔ１Ｂ分だけ、第２側面１０Ｓ２の長手方向に沿った他方の縁１０Ｓ４Ｅ１側に寄って配設される様に、第２支持部１６は第２側面１０Ｓ２上に固設されている。他方の縁１０Ｓ４Ｅ１は、筐体部１０の第１側面１０Ｓ１の他方の縁に対向している。ここで、第３寸法Ｔ１Ｂは、Ｔ１／２に等しいか、それよりも若干大きな値である。
【００４９】
又、第２支持部１６は、その下面１６ＬＳ（図７）の中央部からその上方向に向けて延在し且つ同部１６の内部内を上方へ傾斜しつつ貫通して形成された溝部１６Ｒを有する。溝部１６Ｒの幅は、その中に第２バケット支持部１７が挿入され得る様に、第２バケット支持部１７の第１及び第２側面１７ＳＳ１，１７ＳＳ２並びに第１側面１７ＳＳ１と繋がった上面１７ＵＳの厚みよりも若干大きい。更に、図５に点線で示す様に、筐体部１０の第２側面１０Ｓ２の内で、第２支持部１６の溝部１６Ｒに対向した部分より、当該部分と連続して第３貫通孔１０ＰＨの内面に至るまで、筐体部１０を貫通した溝部１０Ｒ２が、局所的に形成されている。当該溝部１０Ｒ２の幅寸法は、第２バケット支持部１７の厚みよりも若干大きな値に設定されている。
【００５０】
そして、図５及び図７に示す様に、第２バケット支持部１７の一端側部分１７Ｐ１の内で第２支持部１６の溝部１６Ｒ内に挿入された部分は、ビス１８により、当該被挿入部分が回転可能な状態で、第２支持部１６に連結されている。即ち、第２バケット支持部１７は、第２支持部１６によって時計回り方向及び反時計回り方向に回転可能に支持されている。更に、第２バケット支持部１７の一端側部分１７Ｐ１の一部は、筐体部１０の溝部１０Ｒ２内に挿入されている。そして、第２バケット支持部１７の一端側部分１７Ｐ１に連続的に繋がった他端側部分１７Ｐ２の内で、溝部１０Ｒ２より突出した上側部分は、図４及び図５に示す様に、ビス１５によって、先端部分５ＴＰの内で、板部８との嵌合部分と先端部分５ＴＰの他端部５Ｅ２との間の部分の下面５ＴＰＬＳ上に固定されている。従って、先端部分５ＴＰの上下運動に応じて、第２バケット支持部１７の他端側部分１７Ｐ２の上記上側部分もまた、先端部分５ＴＰに引きずられて、第１バケット支持部１２の他端側部分１２Ｐ２の上記上側部分と共に、上下方向に移動する。
【００５１】
以上の通り、先端部分５ＴＰの厚みＴ１は５ｍｍ以下の値に設定され、且つ、第１及び第２バケット支持部１２，１７がそれぞれ図６及び図７に示す通りに配設されているので、第１及び第２バケット支持部１２，１７は、恰もハサミの両刃が立体交差するが如くに、先端部分５ＴＰの他端５Ｅ２側部分を介して立体交差する。この構成により、後述する第１バケット２０と第２バケット２１とが真正面に対向し合うこととなる。本願発明者の試作では、この様に両バケット２０，２１が真正面で対向してその開口同士が閉まるためには、先端部分５ＴＰの厚みＴ１は５ｍｍ以下の値に設定されなければならないことが判明している。
【００５２】
又、図５及び図６に示す第１バケット２０は、第１バケット支持部１２と一体的に回転する様に、第１バケット支持部１２により支持されている。即ち、図５に示す様に、第１バケット支持部１２は、既述した一端側部分１２Ｐ１と、同部分１２Ｐ１と繋がった他端側部分１２Ｐ２とから成る。そして、第１バケット２０の第１側面部２０ＳＰ１の内で、少なくとも同部２０ＳＰ１の後記する開口部側の外縁部分（図５でハッチング表示されている部分の上側端）を除く部分は、第１バケット支持部１２の一端側部分１２Ｐ１の最下部１２Ｐ１Ｌに固定されている。
【００５３】
この様な構造により、図５に示す先端部分５ＴＰが上方向に移動すると、ビス１５と結合した、第１バケット支持部１２の他端側部分１２Ｐ２の結合部分も、先端部分５ＴＰにより引きずられて上方向に移動する。その結果、図５の紙面上方から見て、第１バケット支持部１２の一端側部分１２Ｐ１及び第１バケット２０は、ビス１３と結合された一端側部分１２Ｐ１の結合部分を回転中心として、時計回りの方向へ回転する。逆に、先端部分５ＴＰが下方向に移動すると、ビス１５と結合した第１バケット支持部１２の他端側部分１２Ｐ２の上記結合部分も、先端部分５ＴＰにより引きずられて下方向に移動する。その結果、図５の紙面上方から見て、第１バケット支持部１２の一端側部分１２Ｐ１及び第１バケット２０は、ビス１３と結合された一端側部分１２Ｐ１の上記結合部分を回転中心として、反時計回りの方向へ回転する。
【００５４】
ここで、図８は、第１バケット２０の構造上の特徴点を端的に示す斜視図である。以下、図５及び図６をも参照しつつ、図８に示される第１バケット２０の構造上の特徴点を記載する。
【００５５】
先ず、第１バケット２０の第１底面部２０ＢＰに対向する上面部は、全面的に開口された開口部を成している。そして、第１バケット２０は、第１底面部２０ＢＰの周縁に繋がった４つの第１側面部乃至第４側面部２０ＳＰ１，２０ＳＰ２，２０ＳＰ３，２０ＳＰ４を有している。これらの側面部２０ＳＰ１，２０ＳＰ２，２０ＳＰ３，２０ＳＰ４と第１底面部２０ＢＰとは、上記開口部と繋がった内部空間を形成している。そして、第１バケット支持部１２の一端側部分１２Ｐ１の最下部１２Ｐ１Ｌに部分的に固定された第１側面部２０ＳＰ１の長手方向に於ける長さＬ７が、第１側面部２０ＳＰ１に対向する第２側面部２０ＳＰ２の長手方向に於ける長さＬ８よりも小さくなる様に、第３側面部２０ＳＰ３及び第３側面部２０ＳＰ３に対向する第４側面部２０ＳＰ４が共に末広がり状に傾いている。この第３側面部２０ＳＰ３及び第４側面部２０ＳＰ４の末広がり状の構造により、採取された犬の糞を収納・載置する第１バケット２０側の内部空間の容積を大きくすることが出来る。換言すれば、犬のサイズによって犬の糞の大きさも異なるので、犬のサイズに応じて、第１バケット２０側の上記内部空間の容積の大きさ（大小関係）を変更・設定することが出来る。加えて、第２側面部２０ＳＰ２は、凸状に湾曲している曲面である。従って、犬が舗装道路脇の凹凸状の土地に糞を排泄しても、当該土地の凹凸部に応じて、凸状曲面の第２側面部２０ＳＰ２は左右に及び／又は前後に自在に変形可能となり、第１バケット２０と後述する第２バケット２１とが合わさって形成される内部空間内に、凹凸状の土地の有無に拘わらず、犬の糞を確実に収納することが出来る。しかも、第１側面部乃至第４側面部２０ＳＰ１，２０ＳＰ２，２０ＳＰ３，２０ＳＰ４の各々の開口部側の外縁部分（図５及び図８でハッチング表示されている部分）は、外側に向けて所定の角度θ１（後述する図１１を参照。）で傾斜している。この構造による利点は、後程に記載される。
【００５６】
又、図５及び図７に示す第２バケット２１は、第２バケット支持部１７と一体的に回転する様に、第２バケット支持部１７により支持されている。即ち、図５に示す様に、第２バケット支持部１７は、既述した一端側部分１７Ｐ１と、同部１７Ｐ１と繋がった他端側部分１７Ｐ２とから成る。そして、第２バケット２１の第１側面部２１ＳＰ１は、第２バケット支持部１７の一端側部分１７Ｐ１の最下部１７Ｐ１Ｌと固定されている。
【００５７】
この様な構造により、図５に示す先端部分５ＴＰが上方向に移動すると、ビス１５と結合した第２バケット支持部１７の他端側部分１７Ｐ２の結合部分も先端部分５ＴＰにより引きずられて上方向に移動する。その結果、図５の紙面上方から見て、第２バケット支持部１７の一端側部分１７Ｐ１及び第２バケット２１は、ビス１８と結合された一端側部分１７Ｐ１の結合部分を回転中心として、反時計回りの方向へ回転する。逆に、先端部分５ＴＰが下方向に移動すると、ビス１５と結合した第２バケット支持部１７の他端側部分１７Ｐ２の上記結合部分も、先端部分５ＴＰにより引きずられて下方向に移動する。その結果、図５の紙面上方から見て、第２バケット支持部１７の一端側部分１７Ｐ１及び第２バケット２１は、ビス１８と結合された一端側部分１７Ｐ１の上記結合部分を回転中心として、時計回りの方向へ回転する。
【００５８】
ここで、図９は、第２バケット２１の構造上の特徴点を端的に示す、開口部を正面視した際の正面図である。以下、図５及び図７をも参照しつつ、図９に示される第２バケット２１の構造上の特徴点を記載する。
【００５９】
先ず、第２バケット２１の第２底面部２１ＢＰに対向する上面部は、全面的に開口された開口部を成している。そして、第２バケット２１は、第２底面部２１ＢＰの周縁に繋がった４つの第５側面部乃至第８側面部２１ＳＰ１，２１ＳＰ２，２１ＳＰ３，２１ＳＰ４を有している。これらの側面部２１ＳＰ１，２１ＳＰ２，２１ＳＰ３，２１ＳＰ４と第２底面部２１ＢＰとは、上記開口部と繋がった内部空間を形成している。そして、第２バケット支持部１７の一端側部分１７Ｐ１の最下部１７Ｐ１Ｌの面に固定された第５側面部２１ＳＰ１の長手方向に於ける長さＬ９が、第５側面部２１ＳＰ１に対向する第６側面部２１ＳＰ２の長手方向に於ける長さＬ１０よりも小さくなる様に、第７側面部２１ＳＰ３及び第７側面部２１ＳＰ３に対向する第８側面部２１ＳＰ４が共に末広がり状に傾いている。この第７側面部２１ＳＰ３及び第８側面部２１ＳＰ４の末広がり状の構造により、採取された犬の糞を収納・載置する第２バケット２１側の内部空間の容積を大きくすることが出来る。換言すれば、犬のサイズ（大小）に応じて、第２バケット２１側の上記内部空間の容積を変更・設定することが出来る。加えて、第６側面部２１ＳＰ２は、凸状に湾曲している曲面である。従って、犬が舗装道路脇の凹凸状の土地に糞を排泄しても、当該土地の凹凸部に応じて、凸状曲面の第６側面部２１ＳＰ２は左右に及び／又は前後に自在に変形可能となり、第１バケット２０と第２バケット２１とが組み合わさって形成される内部空間内に、当該土地の凹凸部の存在に拘わらず、犬の糞を確実に収納することが出来る。しかも、第５側面部乃至第８側面部２１ＳＰ１，２１ＳＰ２，２１ＳＰ３，２１ＳＰ４の各々の開口部側の外縁部分（図９でハッチング表示されている部分）は、内側に向けて所定の角度θ２（後述する図１１を参照。）で傾斜している。この構造による利点も、後程に記載される。
【００６０】
又、更に特筆すべき点は、第１バケット２０及び第２バケット２１の弾性は、外側取手２、内側取手３、外側棒材部４及び内側棒材部５の何れの弾性よりも大きいということである。例えば、第１及び第２バケット２０，２１の部材はポリエチレン等の合成樹脂より成り、他方、各部３，４，５の部材はプラスチックより成る。この様な部材の設定により、第１及び第２バケット２０，２１は変形し易くなるので、飼い犬が糞を排泄した場所の凹凸等の状態に応じて第１及び第２バケット２０，２１は変形することとなり、両バケット２０，２１の形状を糞の排泄場所の状態に合わせて適切な形状と成し得る。その結果、排泄された犬の糞を確実に採取して、両バケット２０，２１により形成される空間内に採取した犬の糞を確実に収納することが出来る。
【００６１】
尚、図５に示した採取具１の下方構造の図１に示した上方構造との関係に於ける設置位置に関しては、２通りの設置位置が考えられる。その第１は、(１)犬の糞を採取する前の両バケット２０，２１が、採取具１を手に持つ人の足の歩行方向に沿って開いた状態となる様に、下方構造を上方構造に対して設ける場合である。その第２は、（２）犬の糞を採取する前の両バケット２０，２１が、採取具１を手に持つ人の足の歩行方向とは直交する方向に沿って開いた状態となる様に、下方構造を上方構造に対して設ける場合である。何れの場合でも良いけれども、（１）の場合には人が歩行する際にバケット２０，２１が歩行の邪魔と成り得るので、その点を考慮するならば、（２）の配置関係の方が好ましいと言える。
【００６２】
＜採取具１を用いた犬の糞の採取方法＞
【００６３】
以下では、既述した図１乃至図９の記載を基にして、適宜新たな図面をも参照して、採取具１を用いた犬の糞の採取方法を記載する。
【００６４】
先ず、犬を連れての散歩中に、飼い犬が、舗装道路上又は道路脇の非舗装の土地上に、糞を排泄した場合を考える。このとき、飼い主は、両手の一方の手の掌が外側取手２の第１上側部２ＵＰに当った状態で、且つ、その人の一方の手の指が内側取手３の第２上側部３ＵＰを掴持した状態で身構えて、開いた状態にある第１及び第２バケット２０，２１が犬の糞を掴み取ってしまう様に、両バケット２０，２１を糞の周辺部分に設置する。
【００６５】
その上で、人は、内側取手３の第２上側部３ＵＰを、外側取手２の第１上側部２ＵＰへ向けて引っ張り上げる。当該引っ張り上げの動作に応じて、内側棒材部５は、外側棒材部４の内部空間内を、当該内部空間の壁面に接すること無く、上方（＋Ｘ方向）へ移動する。この内側棒材部５の移動と共に、先端部分５ＴＰ及び板部８も上方（＋Ｘ方向）へ移動し、外側棒材部４の他端部４Ｅ２が不動である結果、板部８の押し上げ力によって、バネ９が第３貫通孔１０ＰＨ内に於いて＋Ｘ方向へ縮められる。このバネ９の縮小動作と同時に、ビス１５により先端部分５ＴＰに結合されている第１及び第２バケット支持部１２，１７のそれぞれの他端側部分１２Ｐ２，１７Ｐ２の結合部分も、第３貫通孔１０ＰＨ内を、＋Ｘ方向へと引っ張り上げられる。その結果、第１バケット支持部１２の一端側部分１２Ｐ１及び第１バケット２０は、ビス１３との結合部分を回転中心として、時計回りに回転する。それらの回転と同期して、同じく、第２バケット支持部１７の一端側部分１７Ｐ１及び第２バケット２１は、ビス１８との結合部分を回転中心として、反時計回りに回転する。人の内側取手３の上記持ち上げ動作が連続的に続くことにより、第１バケット２０及び第２バケット２１の開口部同士が互いに向かい合う様に両バケット２０，２１は回転して、犬の糞は互いに反対回りに回転する両バケット２０，２１により掴み挙げられて、両バケット２０，２１の空間内に放り込まれていく。その後に、第２バケット２１の第５側面部乃至第８側面部２１ＳＰ１〜２１ＳＰ４のそれぞれの外縁部分が、対応する第１バケット２０の第１側面部乃至第４側面部２０ＳＰ１〜２０ＳＰ４のそれぞれの外縁部分を全体的に包み込んでしまう状態の下で、第１バケット２０と第２バケット２１同士が互いの開口部を塞いでしまう。この時点で、人は、内側取手３の第２上側部３ＵＰを引っ張り上げる動作を停止する。その結果、犬の糞２２は、第１バケット２０と第２バケット２１とで作られる閉空間内に収容される（図１０参照。）。
【００６６】
この時点での採取具１の下方部の構成の状態を示す正面図が、図１０である。尚、図１０では、図５と同様に、記載の便宜上、筐体部１０の正面側の第３側面１０Ｓ３が、その一部を残して仮想的に除去されて、筐体部１０の第３貫通孔１０ＰＨの内部構造が露出された状態が描画されている。図１０に示す様に、バネ９は、板部８から受ける上方へ押し上げる力の作用を受けて、図５に示す初期状態より縮まった状態にある。その＋Ｘ方向に於ける長さはＬ２（Ｌ２＜Ｌ１）である。又、図１０に於いて、記載の便宜上、両バケット２０，２１の開口部の重なり部分がハッチングされて描かれている。この描画は、上記した状態、即ち、第２バケット２１の第５側面部乃至第８側面部２１ＳＰ１〜２１ＳＰ４のそれぞれの外縁部分が、対応する第１バケット２０の第１側面部乃至第４側面部２０ＳＰ１〜２０ＳＰ４のそれぞれの外縁部分を全体的に包み込んでしまう状態を示している。
【００６７】
その点をより明確化する観点から、図１０の状態にある両バケット２０，２１の縦断面構造を、図１１に示す。図１１に於いて、既述の通り、第１バケット２０の第１側面部２０ＳＰ１の外縁部分は外側へ向けて角度θ１で傾斜している一方、対向する第２バケット２１の第５側面部２１ＳＰ１の外縁部分は逆に内側へ向けて角度θ２で傾斜している。ここで、角度θ１と角度θ２とは同一値であるか、又は、略同一である。そのため、時計回りの回転動作により、第１バケット２０の第１側面部２０ＳＰ１の外縁部分は、反時計回りに回転している第２バケット２１の第５側面部２１ＳＰ１の外縁部分に当接しながら当該外縁部分の下に潜り込んでいく。その結果、図１０の両バケット２０，２１の回転が停止した状態では、第１バケット２０の第１側面部２０ＳＰ１の外縁部分は、全体的に亘って、第２バケット２１の第５側面部２１ＳＰ１の外縁部分によって包み込まれた状態となる。同様に、時計回りの回転動作をしている第１バケット２０の第２側面部２０ＳＰ２の外縁部分も、反時計回りに回転している第２バケット２１の第６側面部２１ＳＰ２の外縁部分に当接しながら当該外縁部分の下に潜り込んでいく。その結果、図１０の状態では、図１１に示す通り、第１バケット２０の第２側面部２０ＳＰ２の外縁部分もまた、全体的に亘って、第２バケット２１の第６側面部２１ＳＰ２の外縁部分によって包み込まれた状態となる。
【００６８】
この様な包み込み構造が実現されるので、両バケット２０，２１で作られる閉空間内に収容された犬の糞２２が軟らかめでべたべたしている場合に於いても、液状化した犬の糞２２の一部が、互いに組合った両バケット２０，２１の境界部分から、路面又は地面方向へ滴り落ちるのを防止することが出来る。
【００６９】
他方、第１バケット２０と第２バケット２１との開口部が互いに閉じあった状態下に於いて、採取具１の上方の構成部では、人の片方の手の指の持ち上げ動作が停止して、内側取手３の第２上側部３ＵＰも上方へ引き上げられた状態で停止している。そして、人は、他方の手の指でストッパー金具６の他端部６Ｅ２側の内側に折り曲げられた部分６ＢＰを掴んで、ビス２Ｂが外側取手２の第１上側部２ＵＰの面２ＵＰＳ２と結合した部分を回転中心として、ストッパー金具６をピン部７に向けて反時計回りに回転させる。この回転により、ピン部７の突出部分は、ストッパー金具６の切り込み部６ＣＰに嵌り込んで、恰も切り込み部６ＣＰ内をその奥行き部分に向けて移動し続ける様に、人の他方の手の指は、折り曲げられた部分６ＢＰを持ってストッパー金具６を反時計回り方向へと押し続ける。そして、ピン部７の突出部分が切り込み部６ＣＰの奥行き部分に位置する状態になった時点で、人は、ストッパー金具６の回転動作を停止する。この様に、指で容易に掴持可能な折り曲げ部分６ＢＰがストッパー金具６の他端部６Ｅ２側に設けられているので、人は、容易に且つ確実に、ストッパー金具６の上記回転動作を行って、ピン部７の突出部分を切り込み部６ＣＰの奥行き部分に位置させることが出来る。
【００７０】
ピン部７の突出部分が切り込み部６ＣＰの奥行き部分に位置した後に、人は、すかさず、内側取手３の第２上側部分３ＵＰを掴んでいる片方の手の指をわずかに緩める。すると、縮んでいるバネ９が伸び始めて図５の初期状態に戻ろうとするので、このバネ９の伸張動作に同期して、内側取手３の第２上側部分３ＵＰが僅かに下方へ下がろうとする。この動作に応じて、ピン部７の突出部分は、切り込み部６ＣＰの奥行き部分よりストッパー金具６のピン部用貫通穴６Ｒに嵌り込んでしまい、その結果、ストッパー金具６は最早回転することが不能な固定状態となる。勿論、ストッパー金具６は、上下方向（−Ｘ−＋Ｘ方向）にも不動である。そのため、内側取手３の第２上側部分３ＵＰも、上下方向（−Ｘ−＋Ｘ方向）に対して不動状態にある。この時点での採取具１の上方部分の構成を示す正面図が、図１２である。この状態が実現される様に、予め、ストッパー金具６の切込み部の位置が、即ち、ビス２Ｂと外側取手２の第１上側部２ＵＰの正面の面２ＵＰＳ２との結合部分の中心と、切り込み部６ＣＰの中心軸との間隔Ｌ４が規定されている。
【００７１】
図１２の状態に於いて、人が、他方の手の指を、ストッパー金具６の折り曲げられた部分６ＢＰから離せば、内側取手３及びストッパー金具６は何れも最早不動状態にあり、第１及び第２バケット２０，２１は、その内部空間内に糞２２を収納しつつ、それぞれの開口部を閉じた状態を維持することとなる。この様に、ストッパー金具６のピン部用貫通穴６Ｒは、内側取手３及びストッパー金具６を確実に完全な不動状態とするために必須の部分である。この段階で、排泄された犬の糞を採取する動作は終了する。その後、人は、斯かる状態にある採取具１を、その状態を保ちつつ、家まで持ち運べば良い。
【００７２】
＜採取具１を用いた犬の糞の廃棄方法＞
【００７３】
図１０及び図１２に例示される状態にある採取具１を家まで持ち返った人は、採取具１を持って家の便所に入って、便器の蓋を開ける。そして、人は、片方の手で採取具１の外側取手２及び内側取手３を掴んだ状態で、第１及び第２バケット２０，２１の第２側面部２０ＳＰ２，第６側面部２１ＳＰ２側を便器側に向ける。この状態を保ちつつ、人は、他方の手の指でストッパー金具６の折り曲げられた部分６ＢＰを掴んだ上で、片方の手の指で内側取手３の第２上側部３ＵＰを若干だけ上方（＋Ｘ方向）へ引き上げる。そうすると、ピン部７の突出部分がストッパー金具６のピン部用貫通穴６Ｒから抜け出して、切り込み部６ＣＰの奥行き部分に戻るので、人は、他方の手の指で掴んでいるストッパー金具６の折り曲げられた部分６ＢＰを左上方へ引き上げることでストッパー金具６を時計回りに回転させる。この回転の続行により、ピン部７の突出部分がストッパー金具６の切り込み部６ＣＰから抜け出して、内側取手３は上下方向に移動可能な開放状態となる。すると、すかさず、縮められていたバネ９も開放状態となって、図５に示す初期状態に戻るべく、下方向（−Ｘ方向）に伸張する。このバネ９の伸張動作に応じて、すかさず、板部８も下方向（−Ｘ方向）に移動し、板部８の貫通穴に嵌合されている先端部分５ＴＰも図５に示す初期状態に戻るべく下方向（−Ｘ方向）に移動するので、突出部分５ＰＰを介して、内側棒材部５が、従って、内側取手３が下方向（−Ｘ方向）に移動する。その先端部分５ＴＰの下方向（−Ｘ方向）への移動に応じて、互いに開口部を閉じ合っていた第１バケット２０及び第２バケット２１は、それぞれ、反時計回り及び時計回りに回転して、図５の初期状態へと戻っていく。その結果、第１バケット２０及び第２バケット２１は、それぞれ、互いに離れ去って、その開口部を露出させることとなり、両バケット２０，２１が重なって組み合わされることにより形成されていた内部空間（閉空間）が開くので、当該内部空間に収納されていた犬の糞２２は外部へと飛び出して便器内に落ち込んでしまう。この後、人は、便器内に嵌り込んだ犬の糞を下水で下水道へと流してしまえば良い。これにより、犬の糞は、人間が排泄した便と同様に、下水処理されることとなるので、衛生面の観点から、犬の糞の処理の格段の改善・向上が図られることとなる。ましてや、犬の糞中に人間にとって有害な病原菌が含まれている場合に於いても、その様な病原菌も下水処理により処理されるので、病原菌の社会への繁殖を確実に防止することが出来、衛生面で大きな利点が得られる。
【００７４】
この後に、人は、両バケット２０，２１の内部を水で洗浄して汚れを落とせば、本採取具１を清潔な道具として維持して使用し続けることが出来る。
【００７５】
以上の通り、本実施の形態に係る採取具１を利用すれば、容易に且つ確実に、散歩中に犬が排泄した糞を掻き集めて両バケット２０，２１の閉じた内部空間内に収納して採取することが出来ると共に、簡単な動作で以って採取して持ち帰った糞を便器内に棄てて、下水により下水道へと流してしまうことが出来、衛生面での対策が改善されて衛生面が格段に向上し得る。
【００７６】
（変形例１）
実施の形態１で既述した通り、第１バケット２０の各側面部の外縁部分を外側に傾斜させ、第２バケット２１の各側面部の外縁部分を同様の角度で内側に傾斜させる構造を採用することで、犬の糞が軟らかくてべたべたしている場合に、液状の糞が両バケット２０，２１内の内部空間から漏れ落ちる事態の発生を防止している。
【００７７】
しかしながら、犬の糞が非常に軟らかいために、万が一に液状の糞が漏れ落ちることを防止するために、犬の糞を両バケット２０，２１内に収納した後に、ビニール袋で両バケット２０，２１を覆う様にしても良い。
【００７８】
又、ティッシュペーパーで、排泄された犬の糞を掻き集めた上で、当該ティッシュペーパーごと、犬の糞を本採取具１の両バケット２０，２１内に収納してしまうこととしても良い。
【００７９】
とは言え、上記のビニール袋及び／又はティッシュペーパーを、実施の形態１に係る採取具１と共に手に持って歩くのでは、上記のビニール袋及び／又はティッシュペーパーが邪魔となり、本末転倒な結果と成りかねない。
【００８０】
そこで、本変形例では、図１３の拡大斜視図に例示する様に、上記のビニール袋及び／又はティッシュペーパーを収納しておくための箱体１４を、外側棒材部４の４側面の何れかの１側面上に設けておく。
【００８１】
即ち、本変形例では、外側棒材部４は角棒であり、角棒の４つの側面４Ｓ１，４Ｓ２，４Ｓ３，４Ｓ４の何れか一の側面上に、箱体２３が配設されている。図１３の例では、側面４Ｓ１上に、箱体１４が取り付けられている。そして、箱体１４には、その上面部が物の入出が可能な様に開口されてそのまま上面部と連続的に繋がって内部に向けて中空とされた非貫通の２個の第１及び第２空間１４ＳＰ１，１４ＳＰ２が、形成されている。以下、図１３に基づき箱体１４の構成及びその利点を詳述する。
【００８２】
箱体１４の板状の背面部１４ＰＰの中央部分は、一側面４Ｓ１の幅寸法分に亘り、外側棒材部４の延在方向に沿って、一側面４Ｓ１上に固設されている。
【００８３】
そして、箱体１４の背面部１４ＰＰを正面側から眺めた場合に於いて、背面部１４ＰＰの右側に位置する一方の端部上に、背面部１４ＰＰの垂直方向に所定の寸法だけ延在する第１側壁部１４ＳＷ１が立設・固設されている。この第１側壁部１４ＳＷ１の上端部は、背面部１４ＰＰの上記一方の端部側からその途中部分までは平坦面を成す平坦部１４ＦＰ１と、当該平坦部１４ＦＰ１の終端部から下方に向かって傾斜する面を有する傾斜部１４ＤＰ１とから成る。更に、第１側壁部１４ＳＷ１は、傾斜部１４ＤＰ１の終端部から、外側棒材部４の延在方向に沿って、第１側壁部１４ＳＷ１の底面部に至るまで下方に延在した側面部１４ＳＳ１を有する。
【００８４】
又、箱体１４を正面側から眺めた場合に、背面部１４ＰＰの左側に位置する他方の端部上に、同様に背面部１４ＰＰの垂直方向に第１側壁部１４ＳＷ１と同寸法分だけ延在する第２側壁部１４ＳＷ２が、第１側壁部１４ＳＷ１に並行に対峙しつつ立設・固設されている。そして、第１側壁部１４ＳＷ１と同様に、第２側壁部１４ＳＷ２の上端部は、背面部１４ＰＰの上記他方の端部側からその途中部分までは平坦面を成す平坦部１４ＦＰ２と、当該平坦部１４ＦＰ２の終端部から下方に向かって傾斜する面を有する傾斜部１４ＤＰ２とから成る。更に、第２側壁部１４ＳＷ２は、傾斜部１４ＤＰ２の終端部から、外側棒材部４の延在方向に沿って、第２側壁部１４ＳＷ２の底面部に至るまで下方に延在した側面部１４ＳＳ２を有する。
【００８５】
又、並行に対峙した両側面部１４ＳＳ１，１４ＳＳ２の下端部、及び、背面部１４ＰＰの下端部には、その上面が箱体１４の底面を成す、板状の底面部１４ＢＰが結合されている。
【００８６】
よって、箱体１４には、４個の構成部分１４ＰＰ，１４ＳＷ１，１４ＳＷ２，１４ＢＰによって囲まれて成る空間が、形成されている。そして、この空間は、図１３に示す様に２分割されている結果、後述する第１空間１４ＳＰ１と第２空間１４ＳＰ２とが形成されている。
【００８７】
即ち、第１側壁部１４ＳＷ１の側面部１４ＳＳ１の全面上、第２側壁部１４ＳＷ２の側面部１４ＳＳ２の全面上、及び、底面部１４ＢＰの長手方向に沿った両側面の内で背面部１４ＰＰとは反対側の側面上に、第１シート状部材１９Ａが固着されている。この第１シート状部材１９Ａの配設により、箱体１４の上記空間は、その上側部分のみが開口された状態の半閉空間となっている。ここで、第１シート状部材１９Ａは、例えばビニール系又は樹脂系の比較的に薄い部材から成り、人間の指の押し付け動作或いは引っ張り動作に応じて湾曲可能な柔らかな可撓性部材である。しかも、第１シート状部材１９Ａの上側縁１９ＡＵＥの長さは、同部材１９Ａの下側縁１９ＡＬＥの長さよりも長い寸法値に設定されている。その結果、両側面部１４ＳＳ１，１４ＳＳ２及び底面部１４ＢＰの上記側面の上に第１シート状部材１９Ａが固設された状態に於いては、第１シート状部材１９Ａの上側縁１９ＡＵＥは、幾分撓んだ状態となっている。
【００８８】
しかも、第１側壁部１４ＳＷ１の平坦部１４ＦＰ１から上記半閉空間内に突出し且つ底面部１４ＢＰの上記上面にまで延在する第１突出部１４ＰＲ１が、第１側壁部１４ＳＷ１の上記半閉空間側に面した内面上に配設されている。同様に、第２側壁部１４ＳＷ２の平坦部１４ＦＰ２から上記半閉空間内に同寸法分突出し且つ底面部１４ＢＰの上記上面にまで延在する第２突出部１４ＰＲ２が、第２側壁部１４ＳＷ２の上記半閉空間側に面した内面上に配設されている。そして、第１シート状部材１９Ａと同様の可撓性部材から成る薄い第２シート状部材１９Ｂが、第１突出部１４ＰＲ１の第１シート状部材１９Ａ側に面した側面部上、第２突出部１４ＰＲ２の第１シート状部材１９Ａ側に面した側面部上、及び、底面部１４ＢＰの上記上面上に、固設されている。ここで、第２シート状部材１９Ｂの上側縁１９ＢＵＥの長さは、同部材１９Ｂの下側縁１９ＢＬＥの長さよりも長い寸法値に設定されているので、上側縁１９ＢＵＥもまた幾分撓んだ状態となっている。
【００８９】
その結果、箱体１４の上記半閉空間は、第２シート状部材１９Ｂによって仕切られて、２個の半閉空間１４ＳＰ１，１４ＳＰ２に分割されている。即ち、背面部１４ＰＰと第２シート状部材１９Ｂとの間に、その上側のみが開口されて当該開口部から物の出し入れが可能な第２空間１４ＳＰ２が、形成されている。加えて、第１及び第２シート状部材１９Ａ，１９Ｂ間にも、その上側のみが開口されて当該開口部から物の出し入れが可能な第１空間１４ＳＰ１が、形成されている。
【００９０】
斯かる箱体１４の構成により、犬を連れての散歩者は、例えば、一方では、折り込んだ状態のビニール袋を第１空間１４ＳＰ１内に挿入して収納することが出来、他方では、折り込んだ状態のティッシュペーパーを、第２空間１４ＳＰ２内に、ビニール袋とは別個に挿入して収納することが出来る。特に、傾斜部１４ＤＰ１，１４ＤＰ２が設けられているため、第１及び第２側壁部１４ＳＷ１，１４ＳＷ２の角部が邪魔にはならないので、ビニール袋を第１空間１４ＳＰ１内に容易に収納し、或いは、ビニール袋を第１空間１４ＳＰ１内から容易に取り出すことが出来る。
【００９１】
又、第１シート状部材１９Ａの上側縁１９ＡＵＥを図１３に示す外側方向Ｄ１に少し引っ張ることで上側縁１９ＡＵＥを外側方向Ｄ１に広げることが出来るので、第１空間１４ＳＰ１内への物の挿入又は同空間１４ＳＰ１内から物を出す行為が容易となる。逆に、第１空間１４ＳＰ１内へ物を挿入した後に、上側縁１９ＡＵＥを、挿入された物に対して図１３に示す内側方向Ｄ２に少し押し付けることで、第１空間１４ＳＰ１内に挿入された物を上側縁１９ＡＵＥで以って支持することが出来る。
【００９２】
同様に、第２シート状部材１９Ｂの上側縁１９ＢＵＥを図１３に示す外側方向Ｄ１に少し引っ張ることで上側縁１９ＢＵＥを外側方向Ｄ１に広げることが出来るので、第２空間１４ＳＰ２内への物の挿入又は同空間１４ＳＰ２内から物を出す行為が容易となる。逆に、第２空間１４ＳＰ２内へ物を挿入した後に、上側縁１９ＢＵＥを、挿入された物に対して図１３に示す内側方向Ｄ２に少し押し付けることで、第２空間１４ＳＰ２内に挿入された物を上側縁１９ＢＵＥで以って支持することが出来る。
【００９３】
尚、付言すると、図１３の箱体１４を形成する各構成要素（第１及び第２シート状部材１９Ａ，１９Ｂを除く。）は、その製造過程に於いて一体的に形成されても良い。例えば、予め箱体１４に対応する金型を成型しておいた上で、熱せられた樹脂を当該金型内に流入することで、モールド樹脂成型を行って、箱体１４を形成しても良い。
【００９４】
実施の形態１で既述した採取具１に更に箱体２３を備えた採取具を用いるならば、犬を連れて散歩に出かける人は、上記のビニール袋及び／又はティッシュペーパーをそれぞれ第１及び第２空間１４ＳＰ１，１４ＳＰ２内に確実に収納した上で採取具を持ち歩けるので、上記のビニール袋及び／又はティッシュペーパーを手に持って歩くという煩わしさは、解消され得る。
【００９５】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００９６】
この発明は、犬を連れて散歩に出かけた飼い主が飼い犬の糞を採取するための道具として用いるのに好適な日用品に利用可能である。
【符号の説明】
【００９７】
１  犬の糞採取具
２  外側取手
３  内側取手
４  外側棒材部
５  内側棒材部
５ＰＰ  突出部分
５ＴＰ  先端部分
６  ストッパー金具
６Ｒ  ピン部用貫通穴
６ＣＰ  切り込み
７  ピン部
８  板部
９  バネ
１０  筐体部
１１  第１支持部
１２  第１バケット支持部
１６  第２支持部
１７  第２バケット支持部
２０  第１バケット
２１  第２バケット
２２  犬の糞
１４  箱体
１４Ａ  第１空間
１４Ｂ  第２空間
１９Ａ  第１シート状部材
１９Ｂ  第２シート状部材
【要約】
【課題】犬の散歩中に犬が排出した糞を機械的に確実に且つ容易に採取して、糞を自宅の便所の便器内に容易に且つ確実に機械的に棄てて下水道へ流すことを可能にする。
【解決手段】犬の糞を両バケット２０，２１で掴むことが出来る様に採取具１を配置して内側棒材部５を上方へ持ち上げる。先端部分５ＴＰの上方への移動により板部８が上へ移動することでバネ９が縮む。バケット支持部１２，１７が回転して、両バケット２０，２１は時計回り、反時計回りに回転して、バケット２０の各側面部の外側へ傾斜した外縁部がバケット２１の対応する各側面部の内側へ傾斜した外縁部の下に潜り込む様に、両バケット２０，２１の開口部は閉ざされ、犬の糞は両バケット２０，２１の内部空間内に収容される。この状態で内側取手のピン部をストッパー金具の切り込みより凹んだ貫通穴に嵌め込む。内側取手に繋がる内側棒材部５及び両バケット２０，２１は不動状態となる。
【選択図】図５【図１】
0004799704.tif 000002
【図２】
0004799704.tif 000003
【図３】
0004799704.tif 000004
【図４】
0004799704.tif 000005
【図５】
0004799704.tif 000006
【図６】
0004799704.tif 000007
【図７】
0004799704.tif 000008
【図８】
0004799704.tif 000009
【図９】
0004799704.tif 000010
【図１０】
0004799704.tif 000011
【図１１】
0004799704.tif 000012
【図１２】
0004799704.tif 000013
【図１３】
0004799704.tif 000014